(57)【要約】      （修正有）【課題】ハンガー等を吊り下げるフックが長手方向に少ない力によってスムーズに移動し、既存の物干し竿等にワンタッチで簡単に着脱が可能な物干し装置を提供する。【解決手段】インナーロッド２とケーシングカバー３とコマローラー４と吊下げローラー５と吊下げフック６からなり、略直方体の細長いインナーロッドの対向する２面を断面が略コの字状となるケーシングカバーで挟み、インナーロッドの上方、下方及び両端部に空間を形成し、該空間に略円柱状のコマローラー４と吊下げローラー５を複数個配置し、吊下げローラー５に洗濯物等を吊り下げるための吊下げフック６を連結することにより、吊下げフックを長手方向に移動可能とした。【選択図】図７
0003161270.tif 000002
【実用新案登録請求の範囲】
【請求項１】
インナーロッドとケーシングカバーとコマローラーと吊下げローラーと吊下げフックからなる物干し装置であって、
略直方体の細長いインナーロッドの対向する２面をケーシングカバーで挟み、インナーロッドの上方及び／又は下方に空間を形成し、
該空間に略円柱状のコマローラーと吊下げローラーを複数個配置し、
吊下げローラーに洗濯物等を吊り下げるための吊下げフックを連結し、
吊下げフックを長手方向に移動可能としたことを特徴とするフック移動式物干し装置。
【請求項２】
インナーロッドの両端部は外側に湾曲しており、
ケーシングカバーは断面が略コの字状であり長手方向の長さがインナーロッドの長手方向の長さよりもやや長く、両端部はインナーロッドの両端部と対応するように湾曲しており、
インナーロッドの対向する２面を該ケーシングカバーで挟むことによって、インナーロッドの上方及び下方にコマローラー及び吊下げローラーが回転可能な高さ分の空間を形成し、かつインナーロッドの両端部には湾曲に沿って上下の空間をつなぐ空間を形成し、
該空間にコマローラー及び吊下げローラーをなるべく隙間ができないように敷き詰め、
１つのローラーが移動すると連動して他のローラーも移動することを特徴とする請求項１に記載のフック移動式物干し装置。
【請求項３】
ケーシングカバーの上面及び／又は下面に長手方向に細い溝状の隙間を形成し、
該隙間から吊下げローラーに連結された吊下げフックが外部へ突出されるようにしたことを特徴とする請求項１又は請求項２に記載のフック移動式物干し装置。
【請求項４】
前記構成においてさらに、物干し装置を物干し竿等の支持具に取り付けるための取付部材を設け、
該取付部材の下側はケーシングカバーの外側面と接続され、
該取付部材の上側は支持具と着脱自在に形成されることを特徴とする請求項１から請求項３のいずれかに記載のフック移動式物干し装置。
【考案の詳細な説明】
【技術分野】
【０００１】
本考案は複数個の吊下げフックが長手方向に自在に移動することを特徴とする、物干し竿等に取り付けて用いる物干し装置に関する。
【背景技術】
【０００２】
洗濯物を干す際、一般に洗濯物を一枚ずつハンガー等に掛けた後、ハンガーを物干し竿に1つずつ吊り下げることが多い。しかしながら物干し竿は横方向に長いため、左右に移動しながら干す位置をずらしてハンガーを掛ける必要があった。
この左右に移動しながらの作業は身体機能の低下した高齢者や障害者等にとってはとりわけ負担となるものである。
そこで、ハンガー等を吊り下げる部分自体を長手方向に順次移動させることにより、使用者は一箇所に留まりながら洗濯物を物干し竿に均等に吊り下げることができる技術が開発されている。（例えば実登３１３３２４１）。
【先行技術文献】
【特許文献】
【０００３】
【特許文献１】実登第３１３３２４１号公報
【考案の概要】
【考案が解決しようとする課題】
【０００４】
しかしながら上記文献１に係る物干し装置は主に複数の滑車と紐を用いるタイプのものである。このような方法によりフックを移動させる場合、フックと紐、あるいは紐同士が絡み合ったり、紐が滑車から外れる等の問題が生じやすい。また、複数のロープが垂れ下がるため、見た目が悪い。さらに装置を物干し竿に取り付ける際、装置をビス等により竿に取り付ける必要があり、装置の着脱が非常に困難であった。
【０００５】
本考案はハンガー等を吊り下げるフックが長手方向に少ない力によってスムーズに移動し、かつフックにどのような力が加えられても本体から外れることなく、既存の物干し竿等にワンタッチで簡単に着脱が可能なフック移動式物干し装置を提供することを課題とする。
【課題を解決するための手段】
【０００６】
上記の課題を解決するために、本考案に係るフック移動式物干し装置は、インナーロッドとケーシングカバーとコマローラーと吊下げローラーと吊下げフックからなる物干し装置であって、略直方体の細長いインナーロッドの対向する２面をケーシングカバーで挟み、インナーロッドの上方及び／又は下方に空間を形成し、該空間に略円柱状のコマローラーと吊下げローラーを複数個配置し、吊下げローラーに洗濯物等を吊り下げるための吊下げフックを連結し、吊下げフックを長手方向に移動可能としたことを要旨とする。
【０００７】
また本考案に係るフック移動式物干し装置は前記構成においてさらに、インナーロッドの両端部は外側に湾曲しており、ケーシングカバーは断面が略コの字状であり長手方向の長さがインナーロッドの長手方向の長さよりもやや長く、両端部はインナーロッドの両端部と対応するように湾曲しており、インナーロッドの対向する２面を該ケーシングカバーで挟むことによって、インナーロッドの上方及び下方にコマローラー及び吊下げローラーが回転可能な高さ分の空間を形成し、かつインナーロッドの両端部には湾曲に沿って上下の空間をつなぐ空間を形成し、該空間にコマローラー及び吊下げローラーをなるべく隙間ができないように敷き詰め、１つのローラーが移動すると連動して他のローラーも移動することを要旨とする。
【０００８】
また本考案に係るフック移動式物干し装置は前記構成においてさらに、ケーシングカバーの上面及び／又は下面に長手方向に細い溝状の隙間を形成し、該隙間から吊下げローラーに連結された吊下げフックが外部へ突出されるようにしたことを要旨とする。
【０００９】
また本考案に係るフック移動式物干し装置は前記構成においてさらに、物干し装置を物干し竿等の支持具に取り付けるための取付部材を設け、該取付部材の下側はケーシングカバーの外側面と接続され、該取付部材の上側は支持具と着脱自在に形成されることを要旨とする。
【考案の効果】
【００１０】
本考案に係るフック移動式物干し装置によると、主にインナーロッドとケーシングカバーとコマローラーと吊下げローラーと吊下げフックからなり、略直方体の細長いインナーロッドの対向する２面をケーシングカバーで挟み、インナーロッドの上方、下方及び両端部に空間を形成し、該空間に略円柱状のコマローラーと吊下げローラーを複数個配置し、吊下げローラーに洗濯物等を吊り下げるための吊下げフックを連結することにより、吊下げフックを長手方向に移動可能としたことから、使用者は物干し装置の任意の一点から移動することなく洗濯ものを装置両端部間に均等に干すことが可能となった。
また、装置自体の重量も軽く、かつ少ない力でスムーズにフックを移動させることができ、さらには取付部材を用いることで既存の物干し竿等にワンタッチで簡単に着脱できるため、高齢者や障害者等の力の弱い者でも容易に取り扱うことができる。
また、滑車やロープ等は用いないため吊下げフックやローラーが外れることもなく、見た目にもまとまっていてきれいである。
また、構造が非常に単純なため、部品の共通化や量産化が行い易い。そして部品（ケーシングカバーとインナーロッド）のサイズを適宜変更することにより、異なるサイズの製品を容易に生産することが可能である。
【図面の簡単な説明】
【００１１】
【図１】（ａ）実施例に係る物干し装置の側面断面図、（ｂ）実施例に係る物干し装置の正面断面図である。
【図２】実施例に係る物干し装置の側面断面図の拡大図である。
【図３】（ａ）実施例に係る吊下げフックの正面図、（ｂ）実施例に係る吊下げフックの側面断面図である。
【図４】実施例に係る吊下げローラー及び吊下げフックの側面断面図である。
【図５】（ａ）実施例に係るコマローラーの断面図、（ｂ）実施例に係るコマローラーの参考斜視図である。
【図６】実施例に係る物干し装置全体の正面断面図である。
【図７】実施例に係る物干し装置の参考分解斜視図である。
【考案を実施するための形態】
【００１２】
以下、本考案の好ましい実施の形態につき説明する。
【実施例】
【００１３】
本考案の一実施形態を図１から図７を参照しながら詳細に説明する。
【００１４】
本考案に係るフック移動式物干し装置（１）は主にインナーロッド（２）、ケーシングカバー（３）、コマローラー（４）、吊下げローラー（５）、吊下げフック（６）及び取付部材（７）からなる。
【００１５】
図１、２、７に示すように、インナーロッド（２）は細長い略直方体の部材であり、端部面（８）は外側に湾曲している。また図２に示すように、インナーロッドの奥行き幅はコマローラー（４）及び吊下げローラー（５）の横幅と略等しくなるように形成される。
インナーロッドはコマローラーや吊下フック、吊下フックに吊り下げられる洗濯物等の荷重を支えるため力がかかっても変形せず、ある程度強固な素材が用いられる。装置全体の重さを軽くするため、なるべく軽くて強度がある素材が好ましく、例えばアルミニウムやステンレス、エンジニアリングプラスチックが好ましい。ただしこれらの素材に限定されるものではない。
【００１６】
ケーシングカバー（３）はインナーロッドの周囲を囲み、インナーロッド（２）の上下及び両端部にコマローラー（４）及び吊下げローラー（５）が移動できる空間を形成する役割を果たす。本実施例に係るフック移動式物干し装置（１）では、ケーシングカバーを２部用いる。図１、２、７に示すように、ケーシングカバーは断面図が略コの字状になる細長い板状の部材であり、長手方向の長さはインナーロッドの長さよりも若干長くなるよう形成する。ケーシングカバー端部面（９）はインナーロッド端部（８）の曲面に合わせて湾曲している。また、図２に示すようにインナーロッドを中央に配置した場合に上下にコマローラー（４）を通す空間が形成される必要があり、コマローラー（４）の高さ分だけ上下に高さ幅を取る必要がある。
ケーシングカバーもインナーロッドと同様にコマローラーや洗濯物等の荷重を支えるため、ある程度強固かつ軽い素材が好ましい。例えばアルミニウムやステンレス、エンジニアリングプラスチックが好ましいが、これに限定されるものではない。
【００１７】
コマローラー（４）は図５（ａ）（ｂ）に示すように、断面図がＨ状となるよう外周面を一定厚さ切り欠いた略円柱状の部材である。外周面（３０）がケーシングカバー内でインナーロッドやカバーに接して転がるようになっている。該コマローラーは強度と軽さを備えるアルミニウムで形成してもよいが、特に何も吊るしたりせず荷重がかからないため汎用プラスチック等のそれほど強度を有しない素材を用いてもよい。
【００１８】
吊下げフック（６）は図３（ａ）（ｂ）に示すように、主にリング状部材Ａ（１１）とリング状部材Ｂ（１２）から成り、それぞれのリング部材は円周の一部が、略直方状（円柱状等でもよい）の連結部（１３）により連結されている。また、図３（ｂ）に示すようにリング部材ＡとＢの向き及び厚さは略等しい。
中空部（１４）を有するリング部材Ａ（１１）は吊下げフックを後述する吊下げローラー（５）に連結するためのものである。中空部（１５）を有するリング部材Ｂ（１２）はケーシングカバー（３）から外に飛び出し、ハンガー等を吊るすためのものである。該リング部材Ｂ（１２）の形状はリング状に限定されず、ハンガー等を吊るすことができる形状であればどのようなものでもよい。例えばフック形状としてもよい。
吊下げフックには主にハンガー及び洗濯物１つ分の荷重がかかるため、これらの荷重に耐えることができる素材であればどのようなものでも構わない。例えばアルミニウムやステンレス、エンジニアリングプラスチック等が好ましい。
【００１９】
吊下げフック（６）のリング部材Ａ（１１）は図４に示すように吊下げローラー（５）と遊着される。
吊下げローラー（５）は主にローラー部材ａ（１６）、ローラー部材ｂ（１７）及びビス（１８）からなる。ローラー部材ａは断面が略凸状となる円柱部材であり、直径が小さい円柱部分（突出部（２２））にはビスを挿入するための挿入口（２０）が形成されている。ローラー部材ｂはビスを挿入するための中空部（２１）が形成された円柱部材である。ローラー部材ｂの内側の面にはローラー部材ａの突出部端部（３２）が嵌合するように凹部（３３）が設けられている。
ローラー部材ａの突出部（２２）をローラー部材ｂの凹部（３３）に嵌合させビスを挿入することで両者は接続され、吊下げローラーが形成される。該吊下げローラーとコマローラー（４）とは大きさ及び形状が略等しい。
【００２０】
図４に示すように、ローラー部材ａ（１６）の突出部（２２）に吊下げフック（６）のリング部材Ａの中空部（１４）を通し、該突出部をローラー部材ｂ（１７）の凹部（３３）に嵌合し、外側からビス（１８）を挿入することでローラー部材ａｂを固定する。ローラー部材ａの突出部の直径よりもリング部材Ａの中空部の直径がやや大きく設定されているため、吊下げフック（６）を固定した状態でも吊下げローラーは回転することとなる。また、ローラー部材ｂに凹部（３３）を設けローラー部材ａの端部を嵌合させることで、回転動作等によってローラー部材ｂがぐらついたりビスの軸芯がずれるといった懸念が払拭される。
なお、吊下げローラーはコマローラーとは別に一から形成することが好ましいが、コマローラーを切断、加工等により形成することも考えられ、その製造方法は任意である。
【００２１】
図２、７に示すように、２枚のケーシングカバー（３）が、カバー上下面（２８）（２９）がそれぞれ内側を向くようにしてインナーロッド（２）を挟み、外側から接続ビス（１０）で所定の間隔ごとに固定される。この際、図１に示すように予めコマローラー（４）及び吊下げフック（６）を取り付けた吊下げローラー（５）をケーシングカバー内インナーロッドの上下及び両端部の空間に入れておく。吊下げローラーは一定距離ごとに配置し、その間になるべく隙間ができないようにコマローラーを入れる。
図２、７に示すように両側のケーシングカバーの上面（２８）及び下面（２９）は完全に閉じず、長手方向に溝状に隙間（２３）が形成される。そのため、吊下げフック（６）の連結部（１３）がこの隙間に沿って長手方向に移動するのである。
【００２２】
物干し竿やマンションのベランダ等に設置されているフック等の支持具（２４）に本実施例に係る物干し装置（１）を容易に着脱ができるように、取付部材（７）を用いる。取付部材は物干し装置を物干し竿等に取り付けることができればその形状等は任意である。例えば図１、２に示すように上側に円形の開口部（２７）を形成し、該開口部は取っ手（２５）に力を加えることで支点（２６）を中心に開く仕組みが考えられる。そして該支点にはバネが設けられており、取っ手の力を緩めるとバネの力で開口部が閉じるようにするとよい。
また、取付部材の下側はケーシングカバー外側の任意の場所にビス等の手段で固定できるようにすることが考えられる。図２に示すように取付部材（７）でケーシングカバー（３）を両側から挟むようにすると、物干し装置は水平に安定する。ただし、ケーシングカバー上面（２８）の上方は吊下げフック（３１）が通過するため、該フックが通過できるだけの空間を確保する必要がある。
図１、２では接続ビス（１０）を用いて取付部材（７）及びケーシングカバー（３）をともにインナーロッド（２）に固定している。この他、ケーシングカバーをインナーロッドに取り付けるビスと、取付部材をケーシングカバーに取り付けるビスとを別々に設けても良い。こうすることにより、取付部材の位置のみを長手方向に変更する際、取付部材とケーシングカバーとを固定しているビスの着脱により容易に変更が可能となる。また、ケーシングカバーには長手方向にビスを挿入するための挿入口を複数設けておくとよい。
なお、物干し竿に物干し装置を取り付ける際、物干し竿の先端から装置が外にでるような形で取り付けると、使用時に物干し竿の先端で目を突く危険性が少なくなり好ましい。
【００２３】
本考案においては、フック移動式物干し装置の長手方向の長さや吊下げフック（６）の数、あるいは吊下げフック間の幅等は適宜変更が可能である。
本実施例の物干し装置（１）では、図６に示すように吊下げフックの数を３４個としている。また、コマローラー及び吊下げローラー1つあたりの最大直径は約１２ｍｍであり、吊下フックが連結される吊下げローラー間にコマローラーを５つ挟むため、吊下げフック間の幅は約７２ｍｍとなる。
【００２４】
本実施例に係る物干し装置（１）の使用例を図６を参照して説明する。なお、図６では物干し竿等の支持具（２４）及び支持具に物干し装置を取り付けるための取付部材（７）を省略している。
まず使用者は物干し装置を物干し竿等の支持具に取り付ける。次に使用者は物干し装置の一方の端部に位置取る。ここでは図６のβの下側に位置取るものとする。そして使用者はハンガー等に洗濯物（Ｌ）を掛けた後、該ハンガーをβの位置にある吊下げフック（６）に吊下げる。続いて該ハンガーをγ方向へ押すことにより、ハンガーを掛けた吊下げフックをγ方向へ移動させる。ケーシングカバー内には上下にコマローラー（４）及び吊下げローラー（５）が敷き詰められているため、ハンガーを掛けたフックに連結される吊下げローラーが移動した分だけそれぞれのローラーは回転して移動することとなる。
この仕組みによりαの位置にある吊下げフック及び吊下げローラーがケーシングカバー端部の湾曲に沿ってβの位置まで移動することとなる。使用者はβの位置に来た吊下げフックにハンガーを掛け、同様にγ方向へ該フックを移動させる。
この作業を最初にハンガーを掛けた吊下げフックが反対の端部、つまりγの位置にくるまで行う。これにより最終的に使用者はβの位置から移動することなく、物干し装置下側の吊下げフック１７個に約７ｃｍ間隔で洗濯物を干すことができる。
洗濯物を取り込む際は同様の手順を逆の流れで行うとよい。つまり、βの位置にある吊下げフックからハンガーや洗濯物を外し、該フックをαの位置に上げる。この作業を繰り返すことで、使用者はβの位置から動くことなくすべての洗濯物を取り込むことができる。
【００２５】
また、物干し竿等の支持具が低い位置にある場合、該支持具に物干し装置を設置することで、椅子に坐りながら作業をすることもできる。長手方向に移動せずに坐った状態で作業ができるため、特に高齢者や障害者等にとっては楽に作業ができる。
さらに、図１において取付部材（７）の上部開口部（２７）からケーシングカバーとの接続部分までの高さ幅を長くすることにより、高い位置にある支持具に物干し装置を取り付けた場合でも、物干し装置自体は低い位置にくることから坐った状態で作業できる。
また、高さ幅が異なる複数の取付部材を用意することにより、使用者の好みに合わせて適宜取付部材を交換することで支持具から物干し装置までの距離を自由に変更することができる。取付部材自体に高さ幅を自由に調整できるような機構を設けてもよい。
【００２６】
なお、本実施例に係る物干し装置（１）では、吊下げフック（６）を装置上側と下側に所定の間隔で取り付けている。こうすることにより未使用時になんらかの要因により吊下げフックが移動してしまった場合でも、必ずどれかのフックが装置両端部に位置することになり、使用の度にフックの位置を確認する手間を省くことができる。
一方、物干し装置の周囲の半分、すなわち上側あるいは下側にのみ吊下げフックを取り付けてもよい。この場合、使用の開始時に、装置端部（例えば図６のβ）に１つ目のフックがあることを確認しなければならないが、１つ目のフックが反対の端部（例えば図６のγ）まできたら、それ以上は先に進まないようにストッパーを設けることが可能となる。ストッパーは例えば端部（図６のγ）のケーシングカバー間の隙間（２３）を塞ぎ、吊下げローラーと吊下げフックとを連結する連結部（１３）が該端部より先には進まないようにする工夫が考えられる。こうすることにより、洗濯物を干した１つ目のフックが反対の端部から先には進まず、謝って長手方向に力を加えてもフックが上面へ移動して洗濯物が落ちてしまうといった事態を避けることができる。
【００２７】
本実施例に係る物干し装置（１）は構造が単純なため、装置内部のメンテナンスを行う際も容易に可能である。まず装置を一方のケーシングカバーが上を向くようにして地面に横たえる。次にケーシングカバーとインナーロッドとを固定しているビスを外す。そして上側のケーシングカバーを外すことで、内部のメンテナンスができる。例えばコマローラーが割れてしまった場合は新しいコマローラーと取り替えればよいし、糸くずやゴミ等が入ったとしても、容易に取り除くことができる。
その他、余分なコマローラーや吊下げローラー等があれば、内部のローラーと交換することにより、自由に吊下げローラー及び吊下げフックの数や吊下げフック間の距離を変更することができる。
尚、実際に物干し装置を商品として販売する際はコマローラーや吊下げローラー、吊下げフック等を袋に入れて別売としてもよい。
【００２８】
また、ケーシングカバー正面に長手方向に細いスリットを設けてもよい。こうすることでケーシングカバーを開かなくともカバー内部に触れることができるため、例えばローラーとローラーの間に糸くずやゴミ等が入ってしまった場合でも外部からスリットを通して取り出すことが可能となる。
【００２９】
本実施例に係るフック移動式物干し装置（１）によると、本体自体はインナーロッド及び２つのケーシングカバーから成り、構造が非常に単純なため、部品の共通化や量産化が行い易い。部品のサイズを適宜変更することにより、異なるサイズの製品を容易に生産することが可能である。
また、各部材はアルミニウムやステンレス、エンジニアリングプラスチック、樹脂等で形成されるため、装置自体の重量が非常に軽く（１ｍあたり１ｋｇ程度で生産可能）、強度も高い。また、洗濯物等を吊り下げるための吊下げフックは装置内部の空間に敷き詰められたローラーにより移動するため、少ない力でスムーズにフックを移動させることができ、力の弱い者でも容易に取り扱うことができる。
また、装置内部にはローラーが移動する空間が１本の通路として設けられており、ローラーが装置から外れるといったことがなく故障しにくい。さらに外観は物干し竿の直径とほぼ同幅の箱のような形状とすることができ、見た目に整っていてきれいである。
また、ケーシングカバーの着脱が容易であり、コマローラーや吊下げローラー、吊下げフック等の交換・変更も簡単にできるため、使用者自身の手でカバーを開け、好みに合わせて吊下げフックの個数やフック間の間隔を変更することができる。その他、内部に入った糸くずやゴミを取り除いたり壊れたローラーを交換するメンテナンス作業も容易に行うことができる。
また、アルミニウム、ステンレス、プラスチック等の素材を用いることで、本体が錆びにくくかつ汚れにくいため、洗濯物に錆や汚れが付着することを防ぐことができる。
その他、電力等は使わないため、環境にも優しい。
【００３０】
なお、上記実施形態の記述は本考案をこれに限定するものではなく、本考案の要旨を逸脱しない範囲で種々の設計変更等が可能である。
【符号の説明】
【００３１】
１    フック移動式物干し装置
２    インナーロッド
３    ケーシングカバー
４    コマローラー
５    吊下げローラー
６    吊下げフック
７    取付部材
８    インナーロッド端部
９    ケーシングカバー端部
１０  接続ビス
１１  リング部材Ａ
１２  リング部材Ｂ
１３  連結部
１４  中空部
１５  中空部
１６  ローラー部材ａ
１７  ローラー部材ｂ
１８  ビス
２０  挿入口
２１  中空部
２２  突出部
２３  隙間
２４  支持具
２５  取っ手
２６  支点
２７  開口部
２８  ケーシングカバー上面
２９  ケーシングカバー下面
３０  コマローラー外周面
３１  吊下げフック
３２  端部
３３  凹部
Ｌ    洗濯もの
【図１】
0003161270.tif 000003
【図２】
0003161270.tif 000004
【図３】
0003161270.tif 000005
【図４】
0003161270.tif 000006
【図５】
0003161270.tif 000007
【図６】
0003161270.tif 000008
【図７】
0003161270.tif 000009
【手続補正書】
【提出日】平成22年5月25日(2010.5.25)
【手続補正１】
【補正対象書類名】実用新案登録請求の範囲
【補正対象項目名】全文
【補正方法】変更
【補正の内容】
【実用新案登録請求の範囲】
【請求項１】
インナーロッドとケーシングカバーとコマローラーと吊下げローラーと吊下げフックからなる物干し装置であって、
略直方体の細長いインナーロッドの対向する２面をケーシングカバーで挟み、インナーロッドの上方及び／又は下方に空間を形成し、
該空間に略円柱状のコマローラーと吊下げローラーを複数個配置し、
吊下げローラーに洗濯物やハンガーを吊り下げるための吊下げフックを連結し、
吊下げフックを長手方向に移動可能としたことを特徴とするフック移動式物干し装置。
【請求項２】
インナーロッドの両端部は外側に湾曲しており、
ケーシングカバーは断面が略コの字状であり長手方向の長さがインナーロッドの長手方向の長さよりもやや長く、両端部はインナーロッドの両端部と対応するように湾曲しており、
インナーロッドの対向する２面を該ケーシングカバーで挟むことによって、インナーロッドの上方及び下方にコマローラー及び吊下げローラーが回転可能な高さ分の空間を形成し、かつインナーロッドの両端部には湾曲に沿って上下の空間をつなぐ空間を形成し、
該空間にコマローラー及び吊下げローラーをなるべく隙間ができないように敷き詰め、
１つのローラーが移動すると連動して他のローラーも移動することを特徴とする請求項１に記載のフック移動式物干し装置。
【請求項３】
ケーシングカバーの上面及び／又は下面に長手方向に細い溝状の隙間を形成し、
該隙間から吊下げローラーに連結された吊下げフックが外部へ突出されるようにしたことを特徴とする請求項１又は請求項２に記載のフック移動式物干し装置。
【請求項４】
前記フック移動式物干し装置においてさらに、物干し装置を物干し竿等の支持具に取り付けるための取付部材を設け、
該取付部材の下側はケーシングカバーの外側面と接続され、
該取付部材の上側は支持具と着脱自在に形成されることを特徴とする請求項１から請求項３のいずれかに記載のフック移動式物干し装置。